(57)【要約】      （修正有）【課題】本発明はプラズマディスプレイパネルの構造を改善して外光の反射率を低減させて、発光効率を向上させることができるプラズマディスプレイパネルを提供する。【解決手段】本発明に係るプラズマディスプレイパネルは、前面基板及び背面基板と、前面基板と背面基板の間で複数の放電セルを区切る横隔壁部と縦隔壁部を含むウェルタイプ隔壁と、前面基板と背面基板の間から横隔壁部と並んで配列されるスキャン電極及びサステイン電極と、前面基板上に横隔壁部に対応する位置に形成される第１ブラック部と縦隔壁一部に対応する位置に形成される第２ブラック部を含むブラック層と、を含むことを特徴とする。【選択図】図５
2007073528.tif 000002
【特許請求の範囲】
【請求項１】
前面基板及び背面基板と、
前記前面基板と前記背面基板の間で複数の放電セルを区切る横隔壁部と縦隔壁部を含むウェルタイプ隔壁と、
前記前面基板と前記背面基板の間から前記横隔壁部と並んで配列されるスキャン電極及びサステイン電極と、
前記前面基板上に前記横隔壁部に対応する位置に形成される第１ブラック部と前記縦隔壁一部に対応する位置に形成される第２ブラック部を含むブラック層と、
を含むプラズマディスプレイパネル。
【請求項２】
前記第１ブラック部と前記第２ブラック部は前記横隔壁と前記縦隔壁が交差する地点で繋がれたことを特徴とする、請求項１記載のプラズマディスプレイパネル。
【請求項３】
前記第２ブラック部は前記第１ブラック部に対して前記縦隔壁に対応する位置で突出していることを特徴とする、請求項２記載のプラズマディスプレイパネル。
【請求項４】
前記第２ブラック部の面積は前記ブラック層全体面積の２０％以上４０％以下であることを特徴とする、請求項１記載のプラズマディスプレイパネル。
【請求項５】
前記縦隔壁部の幅は前記横隔壁部から遠くなるほど減少し一定になることを特徴とする、請求項１記載のプラズマディスプレイパネル。
【請求項６】
前記第２ブラック部の突出形状は台形であることを特徴とする、請求項３記載のプラズマディスプレイパネル。
【請求項７】
前記ウェルタイプ隔壁は前記放電セルを６角形以上の多角形に形成されるように区切ることを特徴とする、請求項１記載のプラズマディスプレイパネル。
【請求項８】
前記ウェルタイプ隔壁は前記放電セルを楕円形に形成されるように区切ることを特徴とする、請求項１記載のプラズマディスプレイパネル。
【請求項９】
前面基板及び背面基板と、
前記前面基板と前記背面基板の間で複数の放電セルを区切る横隔壁部と縦隔壁部を含むウェルタイプ隔壁と、
前記前面基板または前記背面基板に前記横隔壁に従って配列されて、境界線が直線ではないバス電極と、
を含むプラズマディスプレイパネル。
【請求項１０】
前記バス電極は前記縦隔壁部に対応する位置に形成される突出部を含むことを特徴とする、請求項９記載のプラズマディスプレイパネル。
【請求項１１】
前記バス電極の突出部の幅は前記横隔壁部から遠くなるほど減少することを特徴とする、 請求項１０記載のプラズマディスプレイパネル。
【請求項１２】
前記バス電極の突出部は台形形状であることを特徴とする、請求項１１記載のプラズマディスプレイパネル。
【請求項１３】
前記バス電極のパターンどおり形成されるブラック層をさらに含むことを
特徴とする、請求項９記載のプラズマディスプレイパネル。
【請求項１４】
前記ブラック層は前記縦隔壁に対応する位置に形成される突出部を含むことを特徴とする、請求項１３記載のプラズマディスプレイパネル。
【請求項１５】
前記ブラック層の突出部の幅は前記横隔壁部から遠くなるほど減少することを特徴とする、請求項１４記載のプラズマディスプレイパネル。
【請求項１６】
前記ブラック層の突出部は台形形状であることを特徴とする、請求項１５記載のプラズマディスプレイパネル。
【請求項１７】
前記ウェルタイプ隔壁は前記放電セルを６角形以上の多角形に形成されるように区切ることを特徴とする、請求項９記載のプラズマディスプレイパネル。
【請求項１８】
前記ウェルタイプ隔壁は前記放電セルを楕円形に形成されるように区切ることを特徴とする、請求項９記載のプラズマディスプレイパネル。
【発明の詳細な説明】
【技術分野】
【０００１】
本発明はディスプレイパネルに関し、さらに詳しくはプラズマディスプレイパネルに関する。
【背景技術】
【０００２】
一般的にプラズマディスプレイパネルは前面パネルと背面パネルの間に形成された隔壁が一つの単位放電セルを成すことで、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。前述の単位放電セルは複数個が集まって一つの画素（Ｐｉｘｅｌ）を成す。例えば、赤色（Ｒｅｄ、Ｒ）セル、緑色（Ｇｒｅｅｎ、Ｇ）セル、青色（Ｂｌｕｅ、Ｂ）セルが集まって一つのピクセルを成すのである。
【０００３】
このような単位放電セルに高周波電圧が印加されて放電される時、不活性ガスは真空紫外線（Ｖａｃｕｕｍ Ｕｌｔｒａ Ｖｉｏｌｅｔ ｒａｙｓ）を発生して隔壁の間に形成された蛍光体を発光させて画像が具現される。
【０００４】
プラズマディスプレイパネルは複数の電極、例えばスキャン電極(Ｙ）、サステイン電極（Ｚ）、データ電極（Ｘ）を含み、このようなプラズマディスプレイパネルの電極に駆動電圧を供給するための駆動部がそれぞれの電極に接続される。
【０００５】
各駆動部はプラズマディスプレイパネル駆動の時所定期間に、例えばリセット期間にリセットパルス、アドレス期間にスキャンパルス、サステイン期間にサステインパルスのような駆動パルスをプラズマディスプレイパネルの電極に供給して画像を具現するようになるのである。このようなプラズマディスプレイ装置は薄く軽い構成が可能なので現在表示装置として脚光を浴びている。
【０００６】
一方、プラズマディスプレイパネルの放電セル及び電極などさまざまな要因によって放電特性が異なることがあある。放電特性を最適化させるためのプラズマディスプレイパネル構造に対する研究は活発に進行の中である。
【発明の開示】
【発明が解決しようとする課題】
【０００７】
本発明の目的は発光効率及び反射率を最適化させるためのプラズマディスプレイパネルを提供する。
【課題を解決するための手段】
【０００８】
本発明の一つの実施形態によるプラズマディスプレイパネルは、前面基板及び背面基板と、 前記前面基板と背面基板の間で複数の放電セルを区切る横隔壁部と縦隔壁部を含むウェルタイプ隔壁と、前記前面基板と背面基板の間で前記横隔壁部と並びに配列されるスキャン電極及びサステイン電極と、前記前面基板上に前記横隔壁部に対応する位置に形成される第１ブラック部と前記縦隔壁一部に対応する位置に形成される第２ブラック部を含むブラック層を含む。
【０００９】
前記第１ブラック部と前記第２ブラック部は前記横隔壁と前記縦隔壁が交差する地点で繋がれたことを特徴とする。
【００１０】
前記第２ブラック部は前記第１ブラック部に対して前記縦隔壁に対応する位置で突出していることを特徴とする。
【００１１】
前記第２ブラック部の面積は前記ブラック層全体面積の２０％以上４０％以下であることを特徴とする。
【００１２】
前記縦隔壁部の幅は前記横隔壁部から遠くなるほど減少してから一定になることを特徴とする。
【００１３】
前記第２ブラック部の突出形状は台形であることを特徴とする。
【００１４】
前記ウェルタイプ隔壁は前記放電セルを６角形以上の多角形に形成されるように区切ることを特徴とする。
【００１５】
前記ウェルタイプ隔壁は前記放電セルを楕円形に形成されるように区切ることを特徴とする。
【００１６】
本発明の他の実施形態によるプラズマディスプレイパネルは、前面基板及び背面基板と、前記前面基板と背面基板の間で複数の放電セルを区切る横隔壁部と縦隔壁部を含むウェルタイプ隔壁と、前記前面基板または前記背面基板に前記横隔壁に従って配列されて、境界線が直線ではないバス電極を含む。
【００１７】
前記バス電極は前記縦隔壁部に対応する位置に形成される突出部を含むことを特徴とする。
【００１８】
前記バス電極の突出部の幅は前記横隔壁部から遠くなるほど減少することを特徴とする。
【００１９】
前記バス電極の突出部は台形形状であることを特徴とする。
【００２０】
前記バス電極のパターンどおり形成されるブラック層をさらに含むことを特徴とする。
【００２１】
前記ブラック層は前記縦隔壁に対応する位置に形成される突出部を含むことを特徴とする。
【００２２】
前記ブラック層の突出部の幅は前記横隔壁部から遠くなるほど減少することを特徴とする。
【００２３】
前記ブラック層の突出部は台形形状であることを特徴とする。
【００２４】
前記ウェルタイプ隔壁は前記放電セルを６角形以上の多角形に形成されるように区切ることを特徴とする。
【００２５】
前記ウェルタイプ隔壁は前記放電セルを楕円形に形成されるように区切ることを特徴とする。
【発明の効果】
【００２６】
本発明のプラズマディスプレイパネルは発光効率を向上させて、反射率を低減させて画質の品質を向上させることができる効果がある。
【発明を実施するための最良の形態】
【００２７】
以下では本発明による具体的な実施形態を添付された図面を参照して説明する。
【００２８】
図１は本発明のプラズマディスプレイ装置の一例を示す図である。
【００２９】
図１に示すように、本発明の一つの実施形態によるプラズマディスプレイ装置は、外部から入力される映像データを映像処理して画像が具現されるプラズマディスプレイパネル１００と、プラズマディスプレイパネル１００に形成された電極に駆動パルスを供給するための駆動部を含むことができる。例えば、駆動部は、データ電極（Ｘ１乃至Ｘｍ）にデータを供給するためのデータ駆動部１２２と、スキャン電極（Ｙ１乃至Ｙｎ）を駆動するためのスキャン駆動部１２３と、共通電極であるサステイン電極（Ｚ）を駆動するためのサステイン駆動部１２４と、それぞれの駆動部を制御するためのコントロール部１２１と、それぞれの駆動部（１２２、１２３、１２４）に必要な駆動電圧を供給するための駆動電圧発生部１２５を含む。
【００３０】
プラズマディスプレイパネル１００は、前面基板（図示せず）と背面基板（図示せず）が一定な間隔を置いて合着されて、前面基板には一例では多数の電極例えば、 スキャン電極（Ｙ１乃至Ｙｎ）及びサステイン電極（Ｚ）が対を成して形成されて、背面基板にはスキャン電極（Ｙ１乃至Ｙｎ）及びサステイン電極（Ｚ）と交差されるようにデータ電極（Ｘ１乃至Ｘｍ）が形成される。
【００３１】
データ駆動部１２２は、図示しない逆ガンマ補正回路、誤差拡散回路等によって逆ガンマ補正及び誤差拡散された後、サブフィールドマッピング回路によってあらかじめ設定されたサブフィールドパターンにマッピングされたデータが供給される。このデータ駆動部１２２は、コントロール部１２１の制御下にデータをサンプリングしてラッチした後、そのデータによってデータパルスの電圧をデータ電極（Ｘ１乃至Ｘｍ）に供給する。
【００３２】
スキャン駆動部１２３は、コントロール部１２１の制御の下に、リセット期間の間スキャン電極（Ｙ１乃至Ｙｎ）にリセット波形を印加して全画面に対応する放電セルを初期化する。 すなわち、スキャン駆動部１２３は、リセット波形をスキャン電極（Ｙ１乃至Ｙｎ）に供給した後、アドレス期間でスキャン基準電圧（Ｖｓｃ）を供給して、スキャン基準電圧（Ｖｓｃ）から負極性レベルで立ち下がるスキャンパルスの電圧を供給してスキャン電極ラインをスキャンする。
【００３３】
またスキャン駆動部１２３は、サステイン期間の間アドレス期間で選択されたセルでサステイン放電が起きることができるようにするサステインパルスをスキャン電極（Ｙ１乃至Ｙｎ）に供給する。
【００３４】
サステイン駆動部１２４は、コントロール部１２１の制御の下に、サステイン期間の間スキャン駆動部１２３と交互に動作してサステインパルスをサステイン電極（Ｚ）に供給する。
【００３５】
コントロール部１２１は、垂直/水平同期信号の入力を受けて各駆動部に必要なタイミング制御信号（ＣＴＲＸ、ＣＴＲＹ、ＣＴＲＺ）を発生して、そのタイミング制御信号（ＣＴＲＸ、ＣＴＲＹ、ＣＴＲＺ）を該当の駆動部（１２２、１２３、１２４）に供給することで各駆動部（１２２、１２３、１２４）を制御する。データ駆動部１２２に印加されるタイミング制御信号（ＣＴＲＸ）には、データをサンプリングするためのサンプリングクロック、ラッチ制御信号、エネルギー回収回路と駆動スイッチ素子のオン／オフタイムを制御するためのスイッチ制御信号が含まれる。
【００３６】
スキャン駆動部１２３に印加されるタイミング制御信号（ＣＴＲＹ)には、スキャン駆動部１２３内のエネルギー回収回路と駆動スイッチ素子のオン／オフタイムを制御するためのスイッチ制御信号が含まれる。サステイン駆動部１２４に印加されるタイミング制御信号（ＣＴＲＺ）には、サステイン駆動部１２４内のエネルギー回収回路と駆動スイッチ素子のオン／オフタイムを制御するためのスイッチ制御信号が含まれる。
【００３７】
駆動電圧発生部１２５は、一例ではサステイン電圧（Ｖｓ）、スキャン基準電圧（Ｖｓｃ）、データ電圧（Ｖａ）、スキャン電圧（−Ｖｙ）などの各駆動部（１２２、１２３、１２４）で要する各種駆動電圧を発生する。このような駆動電圧は放電ガスの組成や放電セル構造によって変わることができる。
【００３８】
ここで、本発明の理解を助けるためにプラズマディスプレイパネルの構造の一例を注意深くみれば、次の図２のようである。
【００３９】
図２は本発明のプラズマディスプレイパネル構造の一例を示す図である。
【００４０】
図２に示すように、プラズマディスプレイパネルは、一例では、画像がディスプレイされる表示面である前面基板２０１にスキャン電極（２０２、Ｙ）とサステイン電極（２０３、Ｚ）が対を成して形成された複数の維持電極対が配列された前面パネル２００及び背面を成す背面基板２１１上に前述の複数の維持電極対と交差されるように複数のデータ電極（２１３、Ｘ）が配列された背面パネル２１０が一定距離を間に置いて平行に結合される。
【００４１】
前面パネル２００は、一例では、一つの放電セルで相互放電させてセルの発光を維持するためのスキャン電極（２０２、Ｙ）及びサステイン電極（２０３、Ｚ）、すなわち透明なＩＴＯ物質で形成された透明電極（２０２ａ、２０３ａ）と金属材質で製作されたバス電極（２０２ｂ、２０３ｂ）を備えたスキャン電極（２０２、Ｙ）及びサステイン電極（２０３、Ｚ）が対を成して含まれることができる。また、透明電極（２０２ａ、 ２０３ａ）だけやバス電極（２０２ｂ、２０３ｂ）だけで形成することも可能である。スキャン電極（２０２、Ｙ）及びサステイン電極（２０３、Ｚ）は、放電電流を制限して電極対の間を絶縁させる一つ以上の上部誘電体層２０４によって覆われて、上部誘電体層２０４上面には放電条件を容易くするために一例では酸化マグネシウム（ＭｇＯ）を蒸着した保護層２０５が形成される。
【００４２】
背面パネル２１０は、一例では複数個の放電空間すなわち、放電セルを形成させるためのウェルタイプの隔壁すなわち、横隔壁部（図示せず）と縦隔壁部２１２が一つの単位放電セルを区切るように形成される。また、アドレス放電を遂行して真空紫外線を発生させる多数のデータ電極（２１３、Ｘ）が縦隔壁部２１２に対して平行に配置される。ここで、データ電極（２１３、Ｘ）と上述したスキャン電極２０２及びサステイン電極２０３は交差するように形成される。すなわち、スキャン電極２０２及びサステイン電極２０３は、横隔壁部と並びに配列されるのに、詳しい構造は図５以下で後述しようとする。
【００４３】
背面パネル２１０の上側面にはアドレス放電時画像表示のための可視光線を放出するＲ、Ｇ、Ｂ 蛍光体２１４が塗布される。データ電極（２１３、Ｘ）と蛍光体２１４の間にはデータ電極（２１３、Ｘ）を保護するための下部誘電体層２１５が形成される。
【００４４】
このように形成された前面パネル２００と背面パネル２１０がシーリング工程を通じて合着されてプラズマディスプレイパネルが形成される。そしてこのようなプラズマディスプレイパネルには複数の電極、例えばスキャン電極（２０２、Ｙ）、サステイン電極（２０３、Ｚ）及びデータ電極（２１３、Ｘ）などの電極を駆動するための駆動部等が附着してプラズマディスプレイ装置を成す。
【００４５】
このような本発明のプラズマディスプレイ装置を駆動する方式に対して注意深くみれば次の図３のようである。
【００４６】
図３は本発明のプラズマディスプレイ装置の画像階調を具現する方法の一例を示す図である。
【００４７】
図３に示すのようにプラズマディスプレイパネルに画像を具現させるために、本発明のプラズマディスプレイ装置は、一つのフレームを複数のサブフィールドで分けて駆動することができる。例えば、各サブフィールドをすべてのセルを初期化させるためのリセット期間、放電するセルを選択するためのアドレス期間及び放電回数によって階調を具現するサステイン期間で分けて駆動することができる。
【００４８】
例えば、２５６階調で画像を表示しようとする場合に１／６０秒にあたるフレーム期間（１６．６７ｍｓ）は、複数個、一例では８個のサブフィールド（ＳＦ１乃至ＳＦ８）で分けられるようになる。８個のサブフィールド（ＳＦ１乃至ＳＦ８）それぞれは、前述のようにリセット期間（ＲＰ）、アドレス期間（ＡＰ）及びサステイン期間（ＳＰ）で分けられる。 この時、各サブフィールドのリセット期間（ＲＰ）とアドレス期間（ＡＰ）は各サブフィールドごとに同一な一方に、サステイン期間とそれに割り当てされるサステインパルスの数は変わることがある。一例では、各サブフィールドで２n（ｎ＝０、１、２、３、４、５、６、７）の割合で増加されて階調表現ができる。
【００４９】
図４は本発明のプラズマディスプレイパネルの駆動波形の一例を示す図である。
【００５０】
図４に示すように、プラズマディスプレイパネルは、すべてのセルを初期化させるためのリセット期間、放電するセルを選択するためのアドレス期間、選択されたセルの放電を維持させるためのサステイン期間で分けられて駆動される。
【００５１】
リセット期間（ＲＰ）において、セットアップ期間（ＳＵ）には、スキャン電極(Ｙ）ラインに高圧の上昇ランプ波形（ＰＲ）が同時に印加される。この上昇ランプ波形（ＰＲ）によって全画面のセル内には微弱な放電(セットアップ放電)が起きるようになってセル内に壁電荷が生成される。このような上昇ランプ波形（ＰＲ）は一例ではサステイン電圧（Ｖｓ）とスキャン基準電圧（Ｖｓｃ）の合計で供給されることができる。
【００５２】
セッダウン期間（ＳＤ）には、下降ランプ波形（ＮＲ）がスキャン電極(Ｙ）ラインに同時に印加される。この下降ランプ波形（ＮＲ）は、セル内に微弱な消去放電を起こすことで、セットアップ放電によって生成された過度に積もった放電セルの壁電荷を均一にさせる。
【００５３】
アドレス期間（ＡＰ）には、スキャン電圧（−Ｖｙ）を持つスキャンパルス（ＳＣＮＰ）がスキャン電極(Ｙ）ラインに印加されることと同時に、データ電極（Ｘ）ラインにデータパルス（ＤＰ）が印加される。このスキャンパルス（ＳＣＮＰ）とデータパルス（ＤＰ）の電圧の差とリセット期間（ＲＰ）に生成された壁電圧とが加わりながら、データパルス（ＤＰ）が印加されるセル内にはアドレス放電が発生される。このような、アドレス放電によって選択されたセル内には壁電荷が生成される。
【００５４】
一方、サステイン電極（Ｚ）ラインには正極性（＋）の電圧が印加されてスキャン電極(Ｙ）と放電を起こさない位の電圧を維持する。
【００５５】
サステイン期間（ＳＰ）にはスキャン電極(Ｙ）とサステイン電極（Ｚ）に交互にサステインパルス（ＳＵＳＰ）が印加されてサステイン放電が発生する。
【００５６】
以下図面を参照して本発明の実施形態によるプラズマディスプレイパネルを注意深くみる。
【００５７】
図５は本発明の一つの実施形態によるプラズマディスプレイパネルの構造を示す図である。
【００５８】
図５に示すように、前面基板と背面基板の間には複数の放電セル（Ｓ）を区切るようにウェルタイプ隔壁が形成される。この時、ウェルタイプ隔壁は、放電セルが６角形以上の多角形の形状か楕円形状を持つように区切って放電効率の向上を助けることができる。ウェルタイプ隔壁は、横隔壁部（５０５ａ）と縦隔壁部（５０５ｂ）を含む。この内横隔壁部（５０５ａ）に並んでスキャン電極５０２及びサステイン電極５０３が形成されて、縦隔壁部（５０５ｂ）と並んでデータ電極５０１が形成されることができる。
【００５９】
隔壁に対応する位置にブラック層が形成されて外部光の反射率を低めてコントラスト特性を向上させることができる。例えば、ブラック層は、横隔壁部（５０５ａ）に対応する位置に形成される第１ブラック部（５０４ａ）及び縦隔壁（５０５ｂ）一部に形成される第２ブラック部（５０４ｂ）を含み反射率を最小化することができる。このような第１ブラック部（５０４ａ）と第２ブラック部（５０４ｂ）は分離して形成されることもできるが、図５のように横隔壁部（５０５ａ）と縦隔壁部（５０５ｂ）が交差する地点で繋がれるように形成されることもできる。
【００６０】
また、第２ブラック部（５０４ｂ）は、第１ブラック部（５０４ａ）に対して縦隔壁部（５０５ｂ）に対応する位置に突き出されるようにして反射率を低めることができる。
【００６１】
ここで、縦隔壁部（５０５ｂ）の幅は横隔壁部（５０５ａ）から遠くなるほどその幅が減少してから一定になるようにして放電空間を確保して放電効率を向上させることができる。 また、このような隔壁の形状どおり第２ブラック部（５０４ｂ）の幅も減少するようにできる。すなわち、第２ブラック部（５０４ｂ）が台形形状に突き出されるようにして反射率を最適化させることができるのである。
【００６２】
また、スキャン電極５０２及びサステイン電極５０３のバス電極もブラック層にパターンどおり形成されることができる。すなわち、横隔壁部（５０５ａ）と並んで形成されて縦隔壁部（５０５ｂ）の一部に対応する位置に形成されて放電効率を上昇させることができる。
【００６３】
ここで、このようなスキャン電極５０２、サステイン電極５０３及びブラック層は放電空間を遮らない位置に形成されることで発光効率を最適化させることができる。
【００６４】
一方、このような第２ブラック部（５０４ｂ）の面積を調節して反射率を最適化することができるが、これに対して注意深くみれば次の図６のようである。
【００６５】
図６は本発明の一つの実施形態によるプラズマディスプレイパネルでブラック層の構造を説明するための図である。
【００６６】
図６に示すのように、第２ブラック部（５０４ｂ）はブラック層全体面積の２０％ 以上 ４０％以下で調節することができる。すなわち、単位セル当たりブラック層（５０４ａ）の面積は、図６に示すのようにＬｃ＊Ｗｃで求めることができるし、第２ブラック部（５０４ｂ）の面積は、ブラック層全体面積に対して２０％ 以上４０％以下の値を持つように調節することができる。
【００６７】
例えば、台形の形状に突き出された第２ブラック部（５０４ｂ）の面積は下辺（Ｗｅ、ｂ）と上辺（Ｗｅ、ｔ）そして高さ（Ｌｅ）を通じて求めることができる。
すなわち、第２ブラック部（５０４ｂ）面積のブラック層全体面積に対する面積比は、以下のように算出することが可能である。
第１ブラック部（５０４ａ）の面積Ｓ１＝Ｌｃ＊Ｗｃ・・（１）
第２ブラック部（５０４ｂ）の面積Ｓ２＝（１／２）・（Ｗｅ、ｔ＋Ｗｅ、ｂ）×Ｌｅ・・（２）
ブラック層全体面積Ｓ＝Ｓ１＋Ｓ２・・（３）
面積比Ｒｓ＝Ｓ２／（Ｓ１＋Ｓ２）・・・・（４）
従って、（４）式で算出される面積比Ｒｓが２０％以上４０％以下になるように、第２ブラック部（５０４ｂ）の寸法Ｗｅ、ｂ，Ｗｅ、ｔ，Ｌｅを設定する。
なお、第２ブラック部（５０４ｂ）が第１ブラック部（５０４ａ）の両側に形成される場合には、（２）の右辺を２倍すれば、単位セル当たりの第２ブラック部（５０４ｂ）の面積を算出することができる。
このように第２ブラック部の面積を調節して反射率を最小化することができる。
【００６８】
図７は本発明の他の実施形態によるプラズマディスプレイパネルの構造を示す図である。
【００６９】
図７に示すように、前面基板と背面基板の間には複数の放電セル（Ｓ）を区切るようにウェルタイプ隔壁が形成される。この時、ウェルタイプ隔壁は放電セルが６角形以上の多角形の形状か楕円形状を持つように区切って放電効率の向上を助けることができる。ウェルタイプ隔壁は横隔壁部（７０５ａ）と縦隔壁部（７０５ｂ）を含む。
【００７０】
この内横隔壁部（７０５ａ）に並びに金属材質のバス電極であるスキャン電７０２及びサステイン電極７０３が形成されて、縦隔壁部（７０５ｂ）と並びにデータ電極７０１が形成されることができる。
【００７１】
ここで、 スキャン電７０２及びサステイン電極７０３は境界線が直線ではないように形成されることができる。例えば、バス電極（７０２ａ、７０３ａ）は縦隔壁部（７０５ｂ）に対応する位置に形成される突出部（７０２ｂ、７０３ｂ）を含み放電効率を上昇させることができる。
【００７２】
また、バス電極のパターンどおりブラック層７０４をさらに形成して反射率を最小化することができる。例えば、ブラック層７０４また縦隔壁（７０５ｂ）に対応する位置に突出部を持つようにして外光の反射率を低めて視感特性を向上させることができるのである。
【００７３】
ここで、バス電極（７０２、７０３）またはブラック層７０４の突出部（７０２ｂ、７０３ｂ、７０４ｂ）の幅は、横隔壁部（７０５ａ）から遠くなるほどその幅が減少するようにできる。例えば、バス電極（７０２、７０３） またはブラック層７０４の突出部（７０２ｂ、７０３ｂ、７０４ｂ）の形状を台形が突き出されるようにして、発光効率及び反射率の要因を最適化させて高品質の画像を具現することができる。
【００７４】
このように本発明のよるプラズマディスプレイパネルは、発光効率を向上させて、外部光の反射率を低減させてコントラスト特性を改善させることができる。それによってプラズマディスプレイパネルの視感特性をより向上させることができる。
【図面の簡単な説明】
【００７５】
【図１】本発明のプラズマディスプレイ装置の一例を示す図である。
【図２】本発明のプラズマディスプレイパネル構造の一例を示す図。
【図３】本発明のプラズマディスプレイパネルの画像階調を具現する方法の一例を示す図。
【図４】本発明のプラズマディスプレイパネルの駆動波形の一例を示す図。
【図５】本発明の一つの実施形態によるプラズマディスプレイパネルの構造を示す図。
【図６】本発明の一つの実施形態によるプラズマディスプレイパネルでブラック層の構造を説明するための図。
【図７】本発明の他の実施形態によるプラズマディスプレイパネルの構造を示す図。
【図１】
2007073528.tif 000003
【図２】
2007073528.tif 000004
【図３】
2007073528.tif 000005
【図４】
2007073528.tif 000006
【図５】
2007073528.tif 000007
【図６】
2007073528.tif 000008
【図７】
2007073528.tif 000009